(57)【要約】【課題】本発明の目的は、ボウル部の上部に略水平方向に洗浄水を吐出する吐水出口を有するノズルについて、その取付精度を陶器の精度向上を図らずに達成し、所望の洗浄水の吐水状態を得る水洗式大便器を提供することを目的とするものである。【解決手段】ボウル部と、前記ボウル部の上部に略水平方向に洗浄水を吐出する吐水出口と、前記吐水出口を端部とし、内部に洗浄水の通水路を備える管状部と、を備えた吐水部と、前記吐水部への洗浄水の制御をおこなう制御部と、を備えた水洗式大便器において、前記吐水部を固定する固定部が、吐水方向に間隔をあけて設けられた第１固定部と第２固定部の２箇所であることを特徴とする水洗式大便器。【選択図】  図３
2004232374.tif 000002
【特許請求の範囲】
【請求項１】
ボウル部と、
前記ボウル部の上部に略水平方向に洗浄水を吐出する吐水出口と、
前記吐水出口を端部とし、内部に洗浄水の通水路を備える管状部と、
を備えた吐水部と、
前記吐水部への洗浄水の制御をおこなう制御部と、
を備えた水洗式大便器において、
前記吐水部を固定する固定部が、吐水方向に間隔をあけて設けられた第１固定部と第２固定部の少なくとも２箇所を備えたことを特徴とする水洗式大便器。
【請求項２】
前記ボウル部の上部の略垂直面に開口された陶器出口と、前記吐水出口が挿入される陶器開口部と、
前記陶器出口と前記陶器開口部との間に形成される空間に、
前記吐水出口が位置することを特徴とする請求項１記載の水洗式大便器。
【請求項３】
前記第１固定部が、
前記陶器開口部と前記管状部の外側に設けられたフランジ部と、
前記陶器開口部と前記フランジ部とにより押圧される平パッキンと、
からなり、
前記第２固定部が、
前記陶器開口部の後方に備えられる陶器切り欠き部と、
前記陶器切り欠き部端面に弾性部を固定し、
前記弾性部の内周部に雌ネジ部を有し、
前記雌ネジ部と螺合するネジ部を外周に備える前記管状部と
からなることを特徴とする請求項１または２記載の水洗式大便器。
【発明の詳細な説明】
【０００１】
【発明の属する技術分野】
本発明は、ボウル部の上部に略水平方向に洗浄水を吐出する水洗式大便器に関する。
【０００２】
【従来の技術】
従来、ボウル部の上部に略水平方向に洗浄水を吐出する水洗便器の一形態として、排泄物受け面を有する便鉢（ボウルとも言う）と、同便鉢の上周縁部を周回するように形成したリム通水路とを連続した曲面に形成し、同リム通水路に臨ませてノズル取付部を形成して、同ノズル取付部にノズル（特許文献１では、案内部）を取り付けると共に、同ノズルよりリム通水路を通して上記排泄物受け面に洗浄水を供給するようにしたものがある（例えば、特許文献１参照）。
【０００３】
ここで従来の水洗式大便器の上面透視概略図を図８に示す。
便器本体１は、リム１ｃ内に形成され、水により便鉢１ａを洗浄可能なリム通水路１ｂを有するとともに、便器本体１の後壁面１ｅに隠蔽され、リム通水路１ｂに後方から繋がるリム導水路１ｆを有する。また、便器本体１の後壁面１ｅにはリム導水路１ｆに連通する通孔１ｇが貫設されている。通孔１ｇ内にスパッド１０が係合されている。リム用導管７はスパッド１０の図示しない給水路によりリム導水路１ｆ内を経ることなく案内部１４（ノズル）を経てリム通水路１ｂに連通している。
【０００４】
よって、水はリム導水路１ｆ内を流れずに案内部１４（ノズル）の射水口１４ａからリム通水路に至ることが出来るので、リム導水路を流れる間の抵抗により便鉢内への射水力が弱くなり洗浄能力が劣る恐れが少なくなった。
【０００５】
【特許文献１】
特開２００１−２０３５８号公報
【０００６】
【発明が解決しようとする課題】
ところが、上記した水洗便器では、ノズル取付孔となる通孔にノズルを取り付ける際に、通孔の外側の後壁面の周縁部１箇所のみに押圧状態にて当接させて取り付けるようになっているので、ノズル取付壁の垂直度などに大きな影響を受け、垂直度が悪いと案内部先端の射水口の位置が所望していた位置から変動してしまいることとなり、ノズルから吐出する洗浄水の向きに大きく影響を受け、便鉢の洗浄不良を引き起こすという不具合がある。
【０００７】
特に、従来の場合はその取付部が便器の後壁面であることから、便鉢までの距離も最も長くわずかな後壁面の傾斜やバリなどが大きくノズル取付向きに影響する。
【０００８】
ここで陶器の製造上の精度を上げると言うことも考えられるが、型の再検討やことによっては製造ラインからの見直しになるため時間もかかり、費用も莫大なものになり対応が難しい。
【０００９】
本発明は、上記課題を解決するためになされたもので、本発明の目的は、ノズル取付の精度を陶器の精度向上を図らずに達成し、所望の洗浄水の吐水状態を得ることを目的とするものである。
【００１０】
【課題を解決するための手段および作用・効果】
上記目的を達成するために請求項１は、ボウル部と、前記ボウル部の上部に略水平方向に洗浄水を吐出する吐水出口と、前記吐水出口を端部とし、内部に洗浄水の通水路を備える管状部と、を備えた吐水部と、前記吐水部への洗浄水の制御をおこなう制御部と、を備えた水洗式大便器において、前記吐水部を固定する固定部が、吐水方向に間隔をあけて設けられた第１固定部と第２固定部の少なくとも２箇所を備えたことを特徴とする水洗式大便器を提供する。
【００１１】
本発明によれば、第１固定部と第２固定部の少なくとも２箇所が吐水方向に備えられた固定部であることを特徴とする。
従って、２箇所によってノズル（吐水部の管状部）の向きを支持するので、陶器の製造誤差などによらず確実に所望の方向にノズルを向けることが出来る。よってボウル部内での所望の洗浄水の吐水状態を実現することが出来る。
【００１２】
また、請求項２は、前記ボウル部の上部の略垂直面に開口された陶器出口と、前記吐水出口が挿入される陶器開口部と、前記陶器出口と前記陶器開口部との間に形成される空間に、前記吐水出口が位置することを特徴とする請求項１記載の水洗式大便器を提供する。
【００１３】
本発明によれば、前記吐水出口が、前記ボウル部の上部の略垂直面に開口された陶器出口と、前記吐水出口が挿入される陶器開口部との間に形成される空間に配置される。
従って、洗浄水は、吐水出口から空間を介して最終的に陶器出口より吐出するような複雑な洗浄吐水構造であっても、所望の向きにノズルを設定できるので最適な吐水状態を実現できる。また、吐水出口を使用者に見せない構造にも出来るので意匠性も向上するとともに、ノズルのいたずら防止にもなる。
【００１４】
上記目的を達成するために請求項３は、前記第１固定部が、前記陶器開口部と前記管状部の外側に設けられたフランジ部と、前記陶器開口部と前記フランジ部とにより押圧される平パッキンと、からなり、前記第２固定部が、前記陶器開口部の後方に備えられる陶器切り欠き部と、前記陶器切り欠き部端面に弾性部を固定し、前記弾性部の内周部に雌ネジ部を有し、前記雌ネジ部と螺合するネジ部を外周に備える前記管状部とからなることを特徴とする請求項１または２記載の水洗式大便器を提供する。
【００１５】
本発明によれば、第１固定部と第２固定部の２箇所によってノズルの向きを支持するので、陶器の製造誤差などによらず確実に所望の方向にノズルを向けることが出来る。よってボウル部内での所望の洗浄水の吐水状態を実現することが出来る。
また第２固定部に管状部の伸延による過負荷応力がかかる心配がないために、組み付け時の施工性が向上するとともに、施工のためのトルク管理も行いやすくなる。
【００１６】
【発明の実施の形態】
以下図面に沿って発明内容を説明する。
図１に本発明に係る第１実施例である水洗式大便器の概略斜視図を示す。また図２に第１実施例での吐水部の固定状態を示す。また図３、４にそれぞれ変形例として、固定部の第２実施例、第３実施例の概略斜視図を示す。
なお、各実施例における具体的固定方法に関しては後述する。
【００１７】
図１に示す水洗式大便器３００はボウル部７０の後方上部に一体的に形成された壁３０、および蓋２０からなる収納部４０を形成している。収納部４０には洗浄水の吐水を制御する制御部であるバルブ５０を備えている。バルブ５０には、図示しない給水管を介して水道管が連結される。本実施例では洗浄水をタンクに貯留するタイプではなく、水道直圧型と呼ばれるタイプの水洗式大便器である。
【００１８】
洗浄水は陶器出口６０からの旋回状態での洗浄水Ｗｒと、ボウル部７０下部から図示しないトラップ入り口に向けて吐水（ゼット吐水）される洗浄水Ｗｚとして吐水される。
【００１９】
次に、図２に示す第１実施例である吐水部の構成について説明する。
ボウル部７０側に開口した陶器出口６０と、収納部４０側に開口した陶器開口部１５０との間に形成される空間１４０がボウル部７０と連続して形成されている。
【００２０】
収納部４０内の図示しないバルブに接続される継手部３７０の下流には、ホース３５０を介し先端部に吐水出口１３１を備える洗浄水の通水路である管状部１３２を有している。管状部１３２は通水方向に第１固定部１１０と第２固定部１２０を備えており、後述するような操作にて管状部１３２を伸ばすことにより第１固定部１１０と第２固定部１２０の２箇所で固定される。
【００２１】
なお、本実施例では、第１フランジ７００、第２フランジ８００がそれぞれ空間内部壁１４１、陶器開口部１５０の端面に押圧される形となっている。
【００２２】
ここで図１、２を用い本実施例での水洗式大便器３００の洗浄方法について説明する。
まず洗浄スイッチ４００により収納部４０に設けられたバルブ５０は、内部に図示しない切り替えの弁を備えており、まず、吐水出口１３１より空間１４０を介して陶器出口６０より洗浄水を吐出する。吐水された洗浄水Ｗｒは図中矢印で示すように適宜重力によりボウル部７０の下部方向に垂下することでボウル部７０が全周洗浄される。
【００２３】
その時点でバルブ５０の切替弁が作動し吐水出口１３１からの吐出が終了し、図示しないトラップ部入り口と対峙するゼット口より洗浄水Ｗｚが吐水開始される。するとトラップ内が洗浄水により満水状態となりサイホン力が発生し、溜水とそこにある汚物がトラップ部を介して外部へ向けて排出される。
その後洗浄水Ｗｚの吐出は終了し、再び吐水出口１３１より洗浄水が吐出し陶器出口６０を介してボウル部７０を旋回しながら再び溜水として保持される。
【００２４】
ここで、吐水出口を空間内に位置させ、洗浄水を空間を介して陶器出口より吐出させることは、陶器出口と吐水出口との間に間隔を設けることになり、陶器出口から飛散した汚水等が空間に侵入した場合でも、吐水出口を持つ管状部には、前記汚水等が付着しないようにでき、また、吐水出口から吐水する洗浄水は、洗浄可動時、空間をほぼ満水にした状態で陶器出口から吐水することになるため、従来、吐水出口がボール面に臨むような場合の水はねの防止もすることができる構成となっている。
【００２５】
よって本第１実施例では、吐水部は吐水方向に備えられた第１固定部と、第２固定部の２箇所により固定される。すなわち２箇所によって吐水部を固定し、向きを支持するので、陶器の製造誤差などによらず確実に所望の方向にノズルを向けることが出来る。よってボウル部内での希望通りの洗浄水の吐水状態を実現することが出来る。尚、実施例では、２箇所で支持させたが、さらにそれらの中間位置に吐水部を３点で支持するようにしても良い。
【００２６】
また、本実施例の方法により、より陶器出口に近いところに吐水出口を設定することが出来るため吐水出口と陶器出口の関係もより精度良く設定することが出来るのでより洗浄水の吐水状態を設計しやすくなる。
【００２７】
また、収納部の外で吐水部を固定するので、収納部の奥行き方向の長さを短くすることが出来、ひいては水洗式大便器全体の長さを短くすることが出来るので、小さなトイレ空間にも設置でき汎用性が広がる。
【００２８】
また、陶器出口を介してボウル部に吐水されるので吐水出口を使用者に見せない構造にも出来るので意匠性も向上するとともに、ノズルのいたずら防止にもなる。
【００２９】
次に、本発明の第２実施例である吐水部の概略透視図を図３に示す。
第１実施例による水洗式大便器と同一又は相当する構成要素には同一符号を付して詳細な説明を省略する。
【００３０】
ボウル部７０側に開口した陶器出口６０と、収納部４０側に開口した陶器開口部１５０との間に形成される空間１４０がボウル部７０と連続して形成されている。収納部４０内の図示しないバルブに接続される継手部３７０の下流には、先端部に吐水出口１３１を備える洗浄水の通水路である管状部１３２を有している。管状部１３２は吐水方向に第１固定部１１０と第２固定部１２０を備えており、後述するような操作にて管状部１３２を伸ばすことにより第１固定部１１０と第２固定部１２０の２箇所で固定される。
【００３１】
さらには、本実施例では第１固定部１１０、第２固定部１２０ともに収納部４０内に位置している。第１固定部１１０は陶器開口部１５０に対して、管状部の第１フランジ７００を押圧する形で形成されており、第２固定部１２０は収納部４０に設けられた切り欠き部９００に管状部の第２フランジ８００が押圧され形成されている。
【００３２】
したがって、これらのことから下記する効果が発揮される。
すなわち、第１固定部と第２固定部の２箇所によってノズルの向きを支持するので、陶器の製造誤差などによらず確実に所望の方向にノズルを向けることが出来る。よってボウル部内での所望の洗浄水の吐水状態を実現することが出来る。
【００３３】
また、本実施例では第１固定部、第２固定部ともに収納部に配置されており、その固定状態を上方より目視にて確認することが出来るので施工性が非常によい。
【００３４】
また、陶器出口を介してボウル部に吐水されるので吐水出口を使用者に見せない構造にも出来るので意匠性も向上するとともに、ノズルのいたずら防止にもなる。
【００３５】
次に、本発明の第３実施例である吐水部の概略透視斜視図を図４に示す。
第１実施例による水洗式大便器と同一又は相当する構成要素には同一符号を付して詳細な説明を省略する。
【００３６】
図４は、水洗式大便器を裏側から見た図であり、はかま１６０の一部分を透視した図であり、吐水部の横には外部からバルブ内へ給水を得る給水管５００が配置している。
【００３７】
図４に示す吐水部は、固定方式自体は図３に示す第２実施例と同様の原理である。ただし、第１固定部、第２固定部の各フランジの押圧される面である陶器開口部１５０の端面、切り欠き部９００がそれぞれ水洗式大便器の裏側に開口して位置する構成となっている。
【００３８】
したがって、本実施例では固定部が裏側にあるので、収納部の壁や収納部の他の内部部品による施工の邪魔を受けることがない。
また、水洗式大便器の裏側より固定することにより、収納部内の場合と同様に固定部を目視にて確認もしながら固定作業が出来るので、施工性が格段によい。
【００３９】
更に、収納部の外で吐水部を固定するので、収納部の奥行き方向の長さを短くすることが出来、ひいては水洗式大便器全体の長さを短くすることが出来るので、小さなトイレ空間にも設置でき汎用性が広がる。
【００４０】
ここで上記してきた実施例について、第２実施例を代表して水洗式大便器への固定及び構成について詳細説明する。図５に第２実施例での吐水部の組立説明図を示す。
ここで、吐水部１３０について説明すると、同吐水部１３０の管状部１３２は、前後方向に伸延する伸延管状部１３２ａの先端側部（前端周縁部）に、陶器開口部１５０の端面を押圧するする第１フランジ７００を設け、伸延管状部１３２ａの外周面の部分に筒状の雌ネジ部１９ｄを螺着している。
【００４１】
そして、筒状の雌ネジ部１９ｄの前端周縁部には第２フランジ８００を形成する一方、同雌ネジ部１９ｄの後端縁部には正面視正六角形の回動操作面部１９ｆを形成している。
【００４２】
また、伸延管状部１３２ａの先端部には、案内用管状部１３２ｂを着脱自在に接続するようにしており、同案内用管状部１３２ｂの基端部周面にはリング状のパッキン２３を嵌合すると共に、同パッキン２３を、案内用管状部１３２ｂの基端部外周面に形成した鍔状係止片２２ａに係止する一方、伸延管状部１３２ａの基端部には、図示しないバルブに接続された継手部３７０を介するホース３５０の先端部を着脱自在に接続している。
【００４３】
次に、上記のように構成した吐水部１３０を取り付ける手順について、
図３及び図５を参照しながら説明する。
【００４４】
（１）陶器開口部１５０に案内用管状部１３２ｂを後方から挿通し、同案内用管状部１３２ｂの基端部周面にリング状のパッキン２３を当接させる。
【００４５】
（２）案内用管状部１３２ｂの後端部に伸延管状部１３２ａの第１フランジ７００を上記パッキン２３を介して当接させる。
【００４６】
（３）回動操作面部１９ｆを介して雌ネジ部１９ｄを回動させることにより、同雌ネジ部１９ｄを後方へ後退移動させて、第２フランジ８００を切り欠き部９００に押圧状態に当接させる。
【００４７】
このようにして、第１フランジ７００をパッキン２３を介して陶器開口部１５０の周縁部に押圧状態に当接させると共に、第２フランジ８００を切り欠き部９００の前端面に押圧状態に当接させることにより、吐水部１３０を陶器開口部１５０と切り欠き部９００の前端面との間に簡単に取り付けることができて、同吐水部１３０の取付作業を楽に行うことができる。
【００４８】
この際、吐水部１３０は、第１フランジ７００をパッキン２３に押圧状態に当接させることができるため、取付強度や水密性を良好に確保することができる。
【００４９】
また、上記とは反対の手順をたどることにより吐水部１３０を簡単に取り外すことができて、メンテナンス作業を楽に行うことができる。
【００５０】
以上第２実施例での吐水部の構成、取付けについて説明した。第１実施例、第３実施例も基本構成は同様であり、固定部の位置や切り欠き部の開口向きなどが異なるだけであり、取付方法は同じである。
【００５１】
次に本発明の第４実施例である吐水部の概略断面図を図６に示す。
第１実施例による水洗式大便器と同一又は相当する構成要素には同一符号を付して詳細な説明を省略する。
【００５２】
陶器開口部１５０と管状部１３２の外側に設けられたフランジ部１７０と、陶器開口部１５０とフランジ部１７０とにより押圧される平パッキン１８０と、からなる第１固定部１１０と、陶器開口部１５０の後方に備えられる陶器切り欠き部２１０と、陶器切り欠き部２１０外周面に弾性部２００を固定し、弾性部２００の内周部に雌ネジ部２１２を有し、雌ネジ部２１２と螺合するネジ部１９０を外周に備える管状部とからなる第２固定部１２０によって、吐水部が固定されている。
【００５３】
ここで、図７に第４実施例での弾性部２００の概略斜視図を示す。
弾性部２００は内部に雌ネジ部２１２を有し、外周には４箇所に陶器切り欠き部に嵌合する合致部２１１を備えている。前記合致部２１１は陶器切り欠き部２１０に入るときには径方向にたわむことによって挿入され、嵌合後はエッジ部分が陶器切り欠き部２１０の端面に当たることにより固定されている。なお、前記陶器切り欠き部２１０は、図２における参照符号１５０の陶器開口部のような略円型の形状であるが、実施例２の図３の切り欠き部９００のような形状でも良い。
【００５４】
さらに、本実施例では、第２固定部１２０の上流側に空気取り込み部９５０を備えており、管状部１３２内を洗浄水が通ることによりエジェクタ効果により外気を吸い込み、気泡が混入された形で吐水される。
【００５５】
なお、ここで空気取り込み部９５０には、空気を取り込む外気側への洗浄水の漏水を防止するためボウルよりなる逆止機構を有している。
本実施例に示すように気泡混入された洗浄水は、ボウル部に気泡を付着させながら吐水されるので、汚物の壁面への付着防止に役立つ。
【００５６】
したがって、これらのことから下記する効果が発揮される。
すなわち、第１固定部１１０と第２固定部１２０の２箇所によって吐水部の向きを支持するので、陶器の製造誤差などによらず確実に所望の方向にノズルを向けることが出来る。よってボウル部内での所望の洗浄水の吐水状態を実現することが出来る。
【００５７】
また、第２固定部に管状部の伸延による過負荷な応力がかからないために、組み付け時の施工性が向上するとともに、施工のためのトルク管理も行いやすくなる。
【図面の簡単な説明】
【図１】本発明の第１実施例である水洗式大便器の概略斜視図である。
【図２】本発明の第１実施例である吐水部の概略透視斜視図である。
【図３】本発明の第２実施例である吐水部の概略透視斜視図である。
【図４】本発明の第３実施例である吐水部の概略透視斜視図である。
【図５】本発明の第２実施例を示す吐水部の組立説明図である。
【図６】本発明の第４実施例である吐水部の概略断面図である。
【図７】本発明の第４実施例での弾性部の斜視図である。
【図８】従来の水洗式大便器の上面透視概略図である。
【符号の説明】
１…便器本体
１ａ…便鉢
１ｂ…リム通水路
１ｃ…リム
１ｅ…後壁面
１ｆ…リム導水路
１ｇ…通孔
７…リム用導管
９…チューブ
１０…スパッド
１４…案内部
１４ａ、１４ｂ…射水口
１９ｄ…雌ネジ部
１９ｆ…回動操作面部
２０…蓋
２２ａ…鍔状係止片
２３…パッキン
３０…壁
４０…収納部
５０…バルブ
６０…陶器出口
７０…ボウル部
１１０…第１固定部
１２０…第２固定部
１３０…吐水部
１３１…吐水出口
１３２…管状部
１３２ａ…伸延管状部
１３２ｂ…案内用管状部
１４０…空間
１４１…空間内部壁
１５０…陶器開口部
１６０…はかま
１７０…フランジ部
１８０…平パッキン
１９０…ネジ部
２００…弾性部
２１０…陶器切り欠き部
２１１…合致部
２１２…雌ネジ部
３００…水洗式大便器
３５０…ホース
３７０…継手部
４００…洗浄スイッチ
５００…給水管
７００…第１フランジ
８００…第２フランジ
９００…切り欠き部
９５０…空気取り込み部
Ｗｒ、Ｗｚ…洗浄水
【図１】
2004232374.tif 000003
【図２】
2004232374.tif 000004
【図３】
2004232374.tif 000005
【図４】
2004232374.tif 000006
【図５】
2004232374.tif 000007
【図６】
2004232374.tif 000008
【図７】
2004232374.tif 000009
【図８】
2004232374.tif 000010